(57)【要約】【課題】  本発明は上記問題点を鑑みてなされたものであって、従来の発光ゴルフボールより発光輝度を上げ、従って遠くからでも視認でき、且つ化学発光体を付け替えて何度でも使用できるようにし、またボールのバランスを維持することにより、その飛行性能をそこなうことのない発光ゴルフボールを提供することを目的とする。【解決手段】コアの表面から内部に向けて、略半球状の第一空洞部を複数形成し、第一空洞部の底部からコアの中心に向かって、同空洞部の径よりも小さな径の第二空洞部を設け、さらに同第二空洞部からコアの反対側まで貫通した細穴を開けると共に、コア表面に透明のカバー層が形成されたボール本体に円筒部及びこれより径の大きいふくらんだ発光部よりなる可撓性を有し透明な素材の密封容器でつくられた化学発光体の円筒部を第二空洞部に密に挿入し発光部を第一空洞部に嵌合せしめたことを特徴とした発光ゴルフボール。【選択図】図２
2005253625.tif 000002
【特許請求の範囲】
【請求項１】
コアの表面から内部に向けて、略半球状の第一空洞部を複数形成し、それぞれの第一空洞部は互いに同じ間隔を有するように配置され、かつ第一空洞部の底部からコアの中心に向かって、同空洞部の径よりも小さな径の第二空洞部を設け、さらに同第二空洞部からコアの反対側まで貫通した細穴を開けると共に、コア表面に透明又は半透明のカバー層が形成されたボール本体に円筒部と、これより径の大きいふくらんだ発光部よりなる可撓性を有し透明な素材よりなる密封容器内に、混合することにより化学発光を呈する第一の薬品が封入され、かつ同容器内に収容された密封ガラス容器内に第二の薬品が充填されて封入された化学発光体の円筒部を上記、第二空洞部に密に封入して第一空洞部に発光部が嵌合した化学発光体が着脱自在に装着できることを特徴とした発光ゴルフボール。
【請求項２】
コアの表面から内部に向けて、略半球状の第一空洞部を複数形成し、それぞれの第一空洞部は互いに同じ間隔を有するように配置され、かつ第一空洞部の底部からコアの中心に向かって、同空洞部の径よりも小さな径の第二空洞部を設け、さらに同第二空洞部からコアの反対側まで貫通した細穴を開けると共に、コア表面及び第一空洞部の表面に透明又は半透明のカバー層が形成されたボール本体に円筒部と、これより径の大きいふくらんだ発光部よりなる可撓性を有し透明な素材よりなる密封容器内に、混合することにより化学発光を呈する第一の薬品が封入され、かつ同容器内に収容された密封ガラス容器内に第二の薬品が充填されて封入された化学発光体の円筒部を上記、第二空洞部に密に封入して第一空洞部に発光部が嵌合した化学発光体が着脱自在に装着できることを特徴とした発光ゴルフボール。
【請求項３】
上記第一空洞部の曲面に光反射層を形成した請求項１又は2記載の発光ゴルフボール。
【請求項４】
白色又は白色に近い色の素材で成形したコアよりなる請求項１又は2記載の発光ゴルフボール。
【請求項５】
密封ガラス容器内に充填された第二薬品が溶媒中で修酸エステル及び蛍光物質が粉体又は結晶等の固体状で存在し、このガラス容器の外側で容器内の第一薬品を酸化液とした請求項１又は2記載の発光ゴルフボール。
【請求項６】
密封ガラス容器内に充填された第二薬品が無溶媒で修酸エステル及び蛍光物質が粉体又は結晶等の固体状で存在し、このガラス容器の外側で容器内の第一薬品を酸化液とした請求項１又は2記載の発光ゴルフボール。
【発明の詳細な説明】
【技術分野】
【０００１】
本発明は発光機能を有し、夜間のゴルフプレーに使用し得るボールに関するものであり、更に詳述すると従来の発光ゴルフボールよりも発光性に優れ、従って遠くからでも視認することができ且つボールのバランスを保持しているので、通常のボールと同様の飛行性能を有する発光ゴルフボールに関する。
【背景技術】
【０００２】
近年、照明設備を有するゴルフ場や野球場ができ、夜間にプレーすることが可能となっている。しかしながら通常のボールを用いて夜プレーをすると照明の届く所にボールが飛んで行った場合は良いが、照明の届かない所に飛んだ場合は、ボールを捜すのが困難であったり、紛失してしまうこともあった。
【０００３】
このため夜間のプレーに使用し得るボールとして特開昭６２−２９７４号公報に記載の発光ゴルフボールは自己発光機能を有している点で、本発明と同様であるが断面逆三角形状の空洞部に発光体が配置され、さらにその上から芯球（コア）及び発光体を透明カバーで周囲をおおっている構造が図１に記載されている。これでは発光体を取り替えることができないという欠点がある。また、芯球の中心軸に直交して、すなわち、芯球の表面に発光体を横にして（図１）配置する為、発光体の全長、直径が制限される。つまり実施例にあるように長さ２０ｍｍ、内径２ｍｍ、外径３ｍｍのように、きわめて小さく、発光液が少量にならざるを得ず、したがって発光輝度が向上しない問題があった。又発光体を芯球に配置後、透明カバーを形成する工程で、その成形時の圧力により、発光体中のガラス容器が割れ不良品が発生する要因ともなっていた。
【特許文献１】特開昭６２−２９７４号公報
【発明の開示】
【発明が解決しようとする課題】
【０００４】
本発明は上記問題点を鑑みてなされたものであって、従来の発光ゴルフボールより発光輝度を上げ、従って遠くからでも視認でき、且つ化学発光体を付け替えて何度でも使用できるようにし、またボールのバランスを維持することにより、その飛行性能をそこなうことのない発光ゴルフボールを提供することを目的とする。
【課題を解決するための手段】
【０００５】
コアのバランス（ボールのバランス）を維持すべく、複数の第一空洞部を設ける最少の数は４ヶである。すなわちコアの内部に仮想の正三角錐を作り（図１）、その４つの頂点に略半球状の空洞を設ける。コアの内部に正立方体を想定し、その頂点表面に、８ヶ所空洞を設けてもよい。これはボールのバランスを保つために重要な条件であり、これにより通常のゴルフボールと変らない良好な飛行性能を有することとなる。このように、少なくとも４ヶ所の第一空洞部に化学発光体の発光部が嵌め込まれている為、どのような位置でボールが静止しても、いずれかの発光部が視界に入る。
【０００６】
略半球状の第一空洞部は図２に示すような曲面を有し、中央の発光部からの光を効率よく、外側に放つための形状であればよく、厳密な意味の半球状を意味するものではない。又曲面上に凹凸を付けて、光を散乱させるものも本発明に属する。コア自体が白色系の素材であれば、光反射層を設けなくてもよいが、光を吸収しやすい素材の場合は塗装したり、アルミ蒸着等を施す。
【０００７】
この第一空洞部の底部中央からコアの中心に向かって第二空洞部を穿つ、この第二空洞部の内径は前記化学発光体の円筒部の直径よりも、わずかに小さくしたり、第二空洞部にテーパを付けて、円筒部が密に嵌合する構造とする。これにより発光体が固定される。化学発光体の容器は、可撓性を有し、透明又は半透明のポリエチレンかポリプロピレンの合成樹脂でインジェクションブローやブロー成型等の方法で成形する。
【０００８】
化学発光体は、円筒部とこの直径より大きい略球型又は楕円球等の発光部よりなっている。例えば球型の場合の体積は４／３×πｒ3（πは円周率、ｒは半径）であり、単なる棒型の場合の体積は、πｒ２×Ｌ（Lは全長）図２に示すように、球型、棒型の全長は同じとし、球の直径を全長の半分と設定した場合のそれぞれの体積は、球型  πｒ２×１／２×L＋４／３×π（１／２×L）３、棒型は  πｒ２×L。棒型の全長２０ｍｍ、直径３ｍｍとし、球型の全長２０ｍｍ、円筒部の直径３ｍｍ、球の直径１０ｍｍとした場合のそれぞれの体積は、棒型が約０．１４１３ｃｍ３、球型が、約０．５９４ｃｍ３となり、約４倍の液量となる。球の直径をもっと小さくしたり、楕円球等としても、棒型に比べて２倍以上の発光液の使用が可能となる。
【０００９】
第二空洞部の底からコアの中心を通って、反対側まで貫通した細穴を穿つことにより、化学発光体取り外し用穴となる。すなわち細長い棒状のものを反対側の細穴に挿入し、円筒部分を押し進めることにより、化学発光体を外すことができる。第一空洞部及びコアの表面に、透明又は半透明のポリアミド、ポリウレタン、ポリウレア、ポリブタジエン、アイオノマーなる樹脂を射出成型法あるいは圧縮成型法にてカバーする。
【００１０】
化学発光を呈する２種類の薬品は蛍光液並びに酸化液と一般に呼ばれている。そのいずれかをガラス容器に封入するものであるが、長期保存性は水分に弱い蛍光液をガラス容器に密封する方が効果的である。一例として酸化液はフタル酸ジメチル、ｔ−ブタノール、過酸化水素水及び触媒であり、蛍光液はフタル酸ジブチル、修酸エステル、蛍光物質よりなる組成物である。なお、長時間発光を持続させる手段として、蛍光液中に修酸エステルをフタル酸ジブチルの溶解度以上加えて固体状で沈殿した状態にすれば、過酸化水素と修酸エステルの反応の進行と共に固体の修酸エステルが溶解し、溶解した分だけ反応することを繰り返すため、持続した発光が得られる。この場合蛍光物質は長時間の発光に十分な量を加えておく、同じく長時間発光を持続させる手段として、無溶媒とし修酸エステル及び蛍光物質を固体状で存在させれば、上記と同様の持続した発光が得られる。
【００１１】
使用する時は、化学発光体を曲げて、中のガラス容器を割り、２つの薬品を混合すると発光が始まる。この発光体の円筒部分を各第二空洞部に密に嵌合するように発光部を持って押し込む。発光部の先端は第一空洞部より飛び出ないようにする。このボールをクラブで打つと、ボールの飛行曲線や方向がプレーヤーに視認される。なお、予め、各空洞部に化学発光体を配置したゴルフボールを準備し、スタート時のドライバーショットの打撃による衝撃で、化学発光体を発光させる事も出来る。
【発明の効果】
【００１２】
本発明によると、上述のごとく、通常のボールと同様の構造であり、且つ発光部もバランスよく配置されているため飛行性能に優れたものである。また従来の発光ゴルフボールに比べ、発光の輝度の向上及び発光持続時間に必須である発光薬品の液量を、充分に確保でき、且つその発する光を反射面で効率よく外側に向かわせるため、優れた発光性を有し、従って、照明の届かない暗い所は勿論、飛行中においても又、かなり遠い距離からでも視認できる効果がある。
【発明を実施するための最良の形態】
【００１３】
以下、本発明の発光ゴルフボールの実施の形態を図面を参照しながら詳細に説明する。
図２は本発明の発光ゴルフボールについての一実施例の形態を示すもので、化学発光体の全長が１８ｍｍ、円筒部の直径は３ｍｍ、その長さは９ｍｍ、発光部は略卵型とし、その最大直径は７．５ｍｍ、長さ９ｍｍとした。また肉厚を０．３〜０．４ｍｍとし、ポリエチレン樹脂にてブロー成形する。この容器の中に直径２．２ｍｍ、全長１６ｍｍ、肉厚０．１ｍｍの密閉ガラス管を入れる。この密閉ガラス管の中には、フタル酸ジブチルにビス（２，４，５−トリクロロ−６−カルボイソペンチルオキシフェニル）オキザレート及び１−クロロ−９，１０−ビス（フェニルエチニル）アントラセンが溶解し、かつ固体状でも存在している。これはこの2種類の物質をフタル酸ジブチルに過飽和に加えて、加熱融解し、その状態でガラス容器に注入、溶封した後、室温に戻すことにより容易に製造できる。
【００１４】
前記ブロー成形した容器の円筒部６の開口部より酸化液を注入した後、密閉ガラス容器９を入れ、開口部を閉じれば完成する。次に直径が約４０ｍｍのブタジエンゴムを主原料とした白色のコア１の表面に直径１１ｍｍ深さ１１ｍｍの半球状第一空洞部２を４ヶ所、互いの間隔がすべて同一になる位置に開ける（図１、図２）。このコアの周囲に透明なアイオノマー樹脂でカバー５する。これは射出成型法にて行った。
【００１５】
その後、第一空洞部２に充填されている樹脂層に直径７．５ｍｍ深さ１０ｍｍの半球状の穴を開けることにより、第一空洞部２の曲面に厚さ１ｍｍの透明な層が形成される。なお、本発明ではこの第一空洞部の透明な樹脂層は必ずしも必要ではない。この第一空洞部の底に直径２．９８ｍｍで深さ９ｍｍの第二空洞部３をボールの中心に向かって開ける。さらにこの第二空洞部よりボールの反対側に向かって、直径２．３ｍｍの細穴４を貫通させる。この完成したゴルフボール本体の４ヶ所の第一空洞部２に予め発光をスタートさせた上記化学発光体８をそれぞれ押し込んで装着すると、充分な液量を確保した発光部７から出る光は白色コア１の第一空洞部２の内側曲面に反射して、外側に放出され、強い光が得られる。
【図面の簡単な説明】
【００１６】
【図１】本発明の一実施例におけるコアに第一空洞部を設ける位置を示す説明図。
【図２】本発明の一実施例における発光ゴルフボールの断面説明図。
【符号の説明】
【００１７】
１．コア、２．第一空洞部、３．第二空洞部、４．細穴、５．透明又は半透明のカバー層、６．円筒部、７．発光部、８．化学発光体、９．ガラス容器
【図１】
2005253625.tif 000003
【図２】
2005253625.tif 000004